【手続補正書】
【提出日】平成24年8月10日(2012.8.10)
【手続補正１】
【補正対象書類名】特許請求の範囲
【補正対象項目名】全文
【補正方法】変更
【補正の内容】
【特許請求の範囲】
【請求項１】
出力部と入力部と制御部と記憶部とを少なくとも備えたナビゲーション装置であって、
上記記憶部は、
放送局の放送番組に関連するＰＯＩである番組ＰＯＩの位置情報を含む番組ＰＯＩ情報を記憶する番組ＰＯＩ情報記憶手段、
を備え、
上記制御部は、
利用者により上記入力部を介して入力された上記番組ＰＯＩ情報の登録要求に基づいて、上記番組ＰＯＩ情報を上記番組ＰＯＩ情報記憶手段から抽出する番組ＰＯＩ情報抽出手段と、
上記番組ＰＯＩ情報抽出手段により抽出された上記番組ＰＯＩ情報を、登録ＰＯＩ情報として上記記憶部に登録する番組ＰＯＩ情報登録手段と、
上記利用者により設定された所定地点の位置情報に基づいて、上記記憶部に記憶された上記登録ＰＯＩ情報を検索する登録ＰＯＩ情報検索手段と、
上記登録ＰＯＩ情報検索手段により検索された上記登録ＰＯＩ情報を含む出力用情報を上記出力部を介して出力させる出力用情報出力手段と、
を備えたことを特徴とする、ナビゲーション装置。
【請求項２】
請求項１に記載のナビゲーション装置において、
上記番組ＰＯＩ情報記憶手段は、
上記番組ＰＯＩ情報と上記放送番組の番組ＩＤとを対応付けて記憶し、
上記記憶部は、
少なくとも上記番組ＩＤを含む、上記放送局ごとに上記放送番組の番組情報を記憶する番組情報記憶手段、
を更に備え、
上記登録要求は、
番組検索条件を含み、
上記制御部は、
上記番組検索条件を満たす上記番組情報記憶手段に記憶された上記放送番組の番組情報を検索する番組検索手段、
を更に備え、
上記番組ＰＯＩ情報抽出手段は、
上記番組検索手段により上記番組情報記憶手段から検索された上記番組情報に含まれる上記番組ＩＤに対応する上記番組ＰＯＩ情報を、上記番組ＰＯＩ情報記憶手段から抽出することを特徴とする、ナビゲーション装置。
【請求項３】
請求項２に記載のナビゲーション装置において、
上記番組情報は、
更に、上記放送番組の放送時間を含み、
上記番組ＰＯＩ情報抽出手段は、
上記番組検索手段により上記番組情報記憶手段から検索された上記番組情報に含まれる上記番組ＩＤに対応する上記番組ＰＯＩ情報を、上記番組ＰＯＩ情報記憶手段から上記放送時間後に抽出することを特徴とする、ナビゲーション装置。
【請求項４】
請求項１乃至３のいずれか一つに記載のナビゲーション装置において、
上記制御部は、
上記ナビゲーション装置の上記利用者の現在位置情報を取得する現在位置情報取得手段、
を更に備え、
上記利用者により設定された所定地点の位置情報は、
上記現在位置情報取得手段により取得された上記現在位置情報であることを特徴とする、ナビゲーション装置。
【請求項５】
請求項１乃至３のいずれか一つに記載のナビゲーション装置において、
上記利用者により設定された所定地点の位置情報は、
上記利用者により上記入力部を介して入力された地名、住所、または、郵便番号であることを特徴とする、ナビゲーション装置。
【請求項６】
請求項１乃至５のいずれか一つに記載のナビゲーション装置において、
上記記憶部は、
地図の地図データを記憶する地図データ記憶手段、
を更に備え、
上記出力用情報出力手段は、
更に、上記所定地点を含む上記地図の上記地図データ、および、上記登録ＰＯＩ情報検索手段により検索された上記登録ＰＯＩ情報に基づくアイコンを含む上記出力用情報を上記出力部を介して出力させることを特徴とする、ナビゲーション装置。
【請求項７】
請求項１乃至６のいずれか一つに記載のナビゲーション装置において、
上記登録要求は、
更に、上記ＰＯＩの絞込み条件を含み、
上記番組ＰＯＩ情報登録手段は、
上記絞込み条件に基づいて、上記番組ＰＯＩ情報抽出手段により抽出された上記番組ＰＯＩ情報を、上記登録ＰＯＩ情報として上記記憶部に登録することを特徴とする、ナビゲーション装置。
【請求項８】
請求項７に記載のナビゲーション装置において、
上記絞込み条件は、
上記利用者により設定されたカテゴリであることを特徴とする、ナビゲーション装置。
【請求項９】
放送局の放送番組に関連するＰＯＩである番組ＰＯＩの位置情報を含む番組ＰＯＩ情報を記憶する番組ＰＯＩ情報記憶手段と、
利用者により入力部を介して入力された上記番組ＰＯＩ情報の登録要求に基づいて、上記番組ＰＯＩ情報を上記番組ＰＯＩ情報記憶手段から抽出する番組ＰＯＩ情報抽出手段と、
上記番組ＰＯＩ情報抽出手段により抽出された上記番組ＰＯＩ情報を、上記利用者ごとに登録ＰＯＩ情報として記憶部に登録する番組ＰＯＩ情報登録手段と、
上記利用者により設定された所定地点の位置情報に基づいて、上記記憶部に記憶された上記登録ＰＯＩ情報を検索する登録ＰＯＩ情報検索手段と、
上記登録ＰＯＩ情報検索手段により検索された上記登録ＰＯＩ情報を含む出力用情報を出力部を介して出力させる出力用情報出力手段と、
を備えたことを特徴とする、ナビゲーションシステム。
【請求項１０】
制御部と記憶部とを少なくとも備えたナビゲーションサーバ、および、出力部と制御部とを少なくとも備えた端末装置、を通信可能に接続したナビゲーションシステムであって、
上記ナビゲーションサーバの上記記憶部は、
放送局の放送番組に関連するＰＯＩである番組ＰＯＩの位置情報を含む番組ＰＯＩ情報を記憶する番組ＰＯＩ情報記憶手段、
を備え、
上記ナビゲーションサーバの上記制御部は、
上記端末装置から送信される上記番組ＰＯＩ情報の登録要求に基づいて、上記番組ＰＯＩ情報を上記番組ＰＯＩ情報記憶手段から抽出する番組ＰＯＩ情報抽出手段と、
上記番組ＰＯＩ情報抽出手段により抽出された上記番組ＰＯＩ情報を、上記端末装置の利用者ごとに登録ＰＯＩ情報として上記記憶部に登録する番組ＰＯＩ情報登録手段と、
上記利用者により設定された所定地点の位置情報に基づいて、上記記憶部に記憶された上記登録ＰＯＩ情報を検索する登録ＰＯＩ情報検索手段と、
上記登録ＰＯＩ情報検索手段により検索された上記登録ＰＯＩ情報を含む出力用情報を上記端末装置に送信する出力用情報送信手段と、
を備え、
上記端末装置の上記制御部は、
上記ナビゲーションサーバから送信される上記出力用情報を受信する出力用情報受信手段と、
上記出力用情報を上記出力部を介して出力させる出力用情報出力手段と、
を備えたことを特徴とする、ナビゲーションシステム。
【請求項１１】
出力部を少なくとも備えた端末装置に通信可能に接続された、制御部と記憶部とを少なくとも備えたナビゲーションサーバであって、
上記記憶部は、
放送局の放送番組に関連するＰＯＩである番組ＰＯＩの位置情報を含む番組ＰＯＩ情報を記憶する番組ＰＯＩ情報記憶手段、
を備え、
上記制御部は、
上記端末装置から送信される上記番組ＰＯＩ情報の登録要求に基づいて、上記番組ＰＯＩ情報を上記番組ＰＯＩ情報記憶手段から抽出する番組ＰＯＩ情報抽出手段と、
上記番組ＰＯＩ情報抽出手段により抽出された上記番組ＰＯＩ情報を、上記端末装置の利用者ごとに登録ＰＯＩ情報として上記記憶部に登録する番組ＰＯＩ情報登録手段と、
上記利用者により設定された所定地点の位置情報に基づいて、上記記憶部に記憶された上記登録ＰＯＩ情報を検索する登録ＰＯＩ情報検索手段と、
上記登録ＰＯＩ情報検索手段により検索された上記登録ＰＯＩ情報を含む出力用情報に基づく表示画面を生成する表示画面生成手段と、
上記表示画面を含む出力制御情報を上記端末装置へ送信することにより、当該端末装置の上記出力部を介して当該出力制御情報を出力させる出力制御手段と、
を備えたことを特徴とする、ナビゲーションサーバ。
【請求項１２】
出力部と入力部と制御部と記憶部とを少なくとも備えたナビゲーション装置において実行されるナビゲーション方法であって、
上記記憶部は、
放送局の放送番組に関連するＰＯＩである番組ＰＯＩの位置情報を含む番組ＰＯＩ情報を記憶する番組ＰＯＩ情報記憶手段、
を備え、
上記制御部において実行される、
利用者により上記入力部を介して入力された上記番組ＰＯＩ情報の登録要求に基づいて、上記番組ＰＯＩ情報を上記番組ＰＯＩ情報記憶手段から抽出する番組ＰＯＩ情報抽出ステップと、
上記番組ＰＯＩ情報抽出ステップにて抽出された上記番組ＰＯＩ情報を、登録ＰＯＩ情報として上記記憶部に登録する番組ＰＯＩ情報登録ステップと、
上記利用者により設定された所定地点の位置情報に基づいて、上記記憶部に記憶された上記登録ＰＯＩ情報を検索する登録ＰＯＩ情報検索ステップと、
上記登録ＰＯＩ情報検索ステップにて検索された上記登録ＰＯＩ情報を含む出力用情報を上記出力部を介して出力させる出力用情報出力ステップと、
を含むことを特徴とする、ナビゲーション方法。
【請求項１３】
ナビゲーションシステムにおいて実行されるナビゲーション方法であって、
上記ナビゲーションシステムは、
放送局の放送番組に関連するＰＯＩである番組ＰＯＩの位置情報を含む番組ＰＯＩ情報を記憶する番組ＰＯＩ情報記憶手段と、番組ＰＯＩ情報抽出手段と、番組ＰＯＩ情報登録手段と、登録ＰＯＩ情報検索手段と、出力用情報出力手段と、
を備え、
上記番組ＰＯＩ情報抽出手段が、利用者により入力部を介して入力された上記番組ＰＯＩ情報の登録要求に基づいて、上記番組ＰＯＩ情報を上記番組ＰＯＩ情報記憶手段から抽出する番組ＰＯＩ情報抽出ステップと、
上記番組ＰＯＩ情報登録手段が、上記番組ＰＯＩ情報抽出ステップにて抽出された上記番組ＰＯＩ情報を、上記利用者ごとに登録ＰＯＩ情報として記憶部に登録する番組ＰＯＩ情報登録ステップと、
上記登録ＰＯＩ情報検索手段が、上記利用者により設定された所定地点の位置情報に基づいて、上記記憶部に記憶された上記登録ＰＯＩ情報を検索する登録ＰＯＩ情報検索ステップと、
上記出力用情報出力手段が、上記登録ＰＯＩ情報検索ステップにて検索された上記登録ＰＯＩ情報を含む出力用情報を出力部を介して出力させる出力用情報出力ステップと、
を含むことを特徴とする、ナビゲーション方法。
【請求項１４】
制御部と記憶部とを少なくとも備えたナビゲーションサーバ、および、出力部と制御部とを少なくとも備えた端末装置、を通信可能に接続したナビゲーションシステムにおいて実行されるナビゲーション方法であって、
上記ナビゲーションサーバの上記記憶部は、
放送局の放送番組に関連するＰＯＩである番組ＰＯＩの位置情報を含む番組ＰＯＩ情報を記憶する番組ＰＯＩ情報記憶手段、
を備え、
上記ナビゲーションサーバの上記制御部において実行される、上記端末装置から送信される上記番組ＰＯＩ情報の登録要求に基づいて、上記番組ＰＯＩ情報を上記番組ＰＯＩ情報記憶手段から抽出する番組ＰＯＩ情報抽出ステップと、
上記ナビゲーションサーバの上記制御部において実行される、上記番組ＰＯＩ情報抽出ステップにて抽出された上記番組ＰＯＩ情報を、上記端末装置の利用者ごとに登録ＰＯＩ情報として上記記憶部に登録する番組ＰＯＩ情報登録ステップと、
上記ナビゲーションサーバの上記制御部において実行される、上記利用者により設定された所定地点の位置情報に基づいて、上記記憶部に記憶された上記登録ＰＯＩ情報を検索する登録ＰＯＩ情報検索ステップと、
上記ナビゲーションサーバの上記制御部において実行される、上記登録ＰＯＩ情報検索ステップにて検索された上記登録ＰＯＩ情報を含む出力用情報を上記端末装置に送信する出力用情報送信ステップと、
上記端末装置の上記制御部において実行される、上記ナビゲーションサーバから送信される上記出力用情報を受信する出力用情報受信ステップと、
上記端末装置の上記制御部において実行される、上記出力用情報を上記出力部を介して出力させる出力用情報出力ステップと、
を含むことを特徴とする、ナビゲーション方法。
【請求項１５】
出力部を少なくとも備えた端末装置に通信可能に接続された、制御部と記憶部とを少なくとも備えたナビゲーションサーバにおいて実行されるナビゲーション方法であって、
上記記憶部は、
放送局の放送番組に関連するＰＯＩである番組ＰＯＩの位置情報を含む番組ＰＯＩ情報を記憶する番組ＰＯＩ情報記憶手段、
を備え、
上記制御部において実行される、
上記端末装置から送信される上記番組ＰＯＩ情報の登録要求に基づいて、上記番組ＰＯＩ情報を上記番組ＰＯＩ情報記憶手段から抽出する番組ＰＯＩ情報抽出ステップと、
上記番組ＰＯＩ情報抽出ステップにて抽出された上記番組ＰＯＩ情報を、上記端末装置の利用者ごとに登録ＰＯＩ情報として上記記憶部に登録する番組ＰＯＩ情報登録ステップと、
上記利用者により設定された所定地点の位置情報に基づいて、上記記憶部に記憶された上記登録ＰＯＩ情報を検索する登録ＰＯＩ情報検索ステップと、
上記登録ＰＯＩ情報検索ステップにて検索された上記登録ＰＯＩ情報を含む出力用情報に基づく表示画面を生成する表示画面生成ステップと、
上記表示画面を含む出力制御情報を上記端末装置へ送信することにより、当該端末装置の上記出力部を介して当該出力制御情報を出力させる出力制御ステップと、
を含むことを特徴とする、ナビゲーション方法。
【請求項１６】
出力部と入力部と制御部と記憶部とを少なくとも備えたナビゲーション装置に実行させるためのプログラムであって、
上記記憶部は、
放送局の放送番組に関連するＰＯＩである番組ＰＯＩの位置情報を含む番組ＰＯＩ情報を記憶する番組ＰＯＩ情報記憶手段、
を備え、
上記制御部において、
利用者により上記入力部を介して入力された上記番組ＰＯＩ情報の登録要求に基づいて、上記番組ＰＯＩ情報を上記番組ＰＯＩ情報記憶手段から抽出する番組ＰＯＩ情報抽出ステップと、
上記番組ＰＯＩ情報抽出ステップにて抽出された上記番組ＰＯＩ情報を、登録ＰＯＩ情報として上記記憶部に登録する番組ＰＯＩ情報登録ステップと、
上記利用者により設定された所定地点の位置情報に基づいて、上記記憶部に記憶された上記登録ＰＯＩ情報を検索する登録ＰＯＩ情報検索ステップと、
上記登録ＰＯＩ情報検索ステップにて検索された上記登録ＰＯＩ情報を含む出力用情報を上記出力部を介して出力させる出力用情報出力ステップと、
を実行させるためのプログラム。
【請求項１７】
端末装置に通信可能に接続された、制御部と記憶部とを少なくとも備えたナビゲーションサーバに実行させるためのプログラムであって、
上記記憶部は、
放送局の放送番組に関連するＰＯＩである番組ＰＯＩの位置情報を含む番組ＰＯＩ情報を記憶する番組ＰＯＩ情報記憶手段、
を備え、
上記制御部において、
上記端末装置から送信される上記番組ＰＯＩ情報の登録要求に基づいて、上記番組ＰＯＩ情報を上記番組ＰＯＩ情報記憶手段から抽出する番組ＰＯＩ情報抽出ステップと、
上記番組ＰＯＩ情報抽出ステップにて抽出された上記番組ＰＯＩ情報を、上記端末装置の利用者ごとに登録ＰＯＩ情報として上記記憶部に登録する番組ＰＯＩ情報登録ステップと、
上記利用者により設定された所定地点の位置情報に基づいて、上記記憶部に記憶された上記登録ＰＯＩ情報を検索する登録ＰＯＩ情報検索ステップと、
上記登録ＰＯＩ情報検索ステップにて検索された上記登録ＰＯＩ情報を含む出力用情報を上記端末装置に送信する出力用情報送信ステップと、
を実行させるためのプログラム。
【請求項１８】
出力部を少なくとも備えた端末装置に通信可能に接続された、制御部と記憶部とを少なくとも備えたナビゲーションサーバに実行させるためのプログラムであって、
上記記憶部は、
放送局の放送番組に関連するＰＯＩである番組ＰＯＩの位置情報を含む番組ＰＯＩ情報を記憶する番組ＰＯＩ情報記憶手段、
を備え、
上記制御部において、
上記端末装置から送信される上記番組ＰＯＩ情報の登録要求に基づいて、上記番組ＰＯＩ情報を上記番組ＰＯＩ情報記憶手段から抽出する番組ＰＯＩ情報抽出ステップと、
上記番組ＰＯＩ情報抽出ステップにて抽出された上記番組ＰＯＩ情報を、上記端末装置の利用者ごとに登録ＰＯＩ情報として上記記憶部に登録する番組ＰＯＩ情報登録ステップと、
上記利用者により設定された所定地点の位置情報に基づいて、上記記憶部に記憶された上記登録ＰＯＩ情報を検索する登録ＰＯＩ情報検索ステップと、
上記登録ＰＯＩ情報検索ステップにて検索された上記登録ＰＯＩ情報を含む出力用情報に基づく表示画面を生成する表示画面生成ステップと、
上記表示画面を含む出力制御情報を上記端末装置へ送信することにより、当該端末装置の上記出力部を介して当該出力制御情報を出力させる出力制御ステップと、
を実行させるためのプログラム。